(57)【要約】【課題】  チャプタの作成・削除においてより高い利便性をもたらすことができる技術を提供する。【解決手段】  外部からの特殊再生の指示に基づいてこの特殊再生を行う特殊再生手段と、前記指示の時点に一時的なチャプタを区切る仮チャプタ生成手段とを備え、外部からの指示に基づいて前記一時的なチャプタに戻る映像再生装置。また、外部からの特殊再生の指示に基づいてこの特殊再生を行う特殊再生工程と、前記指示の時点に一時的なチャプタを区切る仮チャプタ生成工程とを含み、外部からの指示に基づいて前記一時的なチャプタに戻る映像再生方法。【選択図】  図１
2013243620.tif 000002
【特許請求の範囲】
【請求項１】
外部からの特殊再生の指示に基づいてこの特殊再生を行う特殊再生手段と、
前記指示の時点に一時的なチャプタを区切る仮チャプタ生成手段とを
備え、外部からの指示に基づいて前記一時的なチャプタに戻る映像再生装置。
【請求項２】
前記特殊再生は、チャプタジャンプである請求項１に記載の映像再生装置。
【請求項３】
前記一時的なチャプタは、古いものから削除される請求項１に記載の映像再生装置。
【請求項４】
前記外部からの指示は、直前のジャンプ操作とは逆方向のジャンプである請求項１に記載の映像再生装置。
【請求項５】
前記チャプタジャンプのジャンプ開始点を提示する請求項１に記載の映像再生装置。
【請求項６】
前記一時的なチャプタを、チャプタに確定する請求項１に記載の映像再生装置。
【請求項７】
前記一時的なチャプタを保存し、次回の映像再生開始時にも一時的なチャプタとして反映する請求項１に記載の映像再生装置。
【請求項８】
外部からの特殊再生の指示に基づいてこの特殊再生を行う特殊再生工程と、
前記指示の時点に一時的なチャプタを区切る仮チャプタ生成工程とを
含み、外部からの指示に基づいて前記一時的なチャプタに戻る映像再生方法。
【発明の詳細な説明】
【技術分野】
【０００１】
本発明の実施形態は、例えばテレビジョン放送やネットワークにより提供される映像を再生する映像再生装置に関わり特にチャプタジャンプ機能の利便性を向上する映像再生方法に関する。
【背景技術】
【０００２】
近年デジタルテレビジョン受像装置にハードディスクドライブをマウントすることによって、地上波デジタル放送やBS放送を録画するシステムが普及している。このようなテレビジョンシステムにおいて、できる限りユーザーの操作量を削減したり、限られたリモコンボタンの範囲でより快適な録画再生機能を実現したりすることが望まれている。
【０００３】
例えば、課題として動画データの再生時に、確実で使い勝手の良い所定区間スキップを可能とする技術を提供するものがある（例えば、特許文献１参照。）。この解決手段としてチャプタ点設定部と、自動スキップを行うための区間を検出する自動スキップ区間設定部を有し、利用者からのスキップ指示があると、再生中の再生位置より時間的に後であって、再生中の再生位置に最も近いチャプタ点にスキップするというものである。
【０００４】
しかしながらここに挙げられるチャプタスキップ機能において、正しくチャプタが設定されていない場合などに、ユーザーが誤ってチャプタスキップを行ってしまった際、チャプタ区間が長スキップ量が多いと復帰が難しいという問題がある。加えて、従来の方法ではユーザー自身がチャプタを区切る操作が煩わしい場合が多かった。
【０００５】
また、課題としてユーザーにとって自分の趣向に合ったチャプタ設定が無意識のうちにでき、従来のような意識的なチャプタ設定によるわずらわしさがなくなる記録再生装置を提供するものがある（例えば、特許文献２参照。）。
【０００６】
この解決手段として、記録された映像情報の再生開始後、リモコンにおいて一時停止キー、ＣＭスキップキー、早送り再生キー、逆送り再生キー、早送りおよび巻き戻し再生を解除する再生キー、停止キーが入力されると、再生位置情報をハードディスクに記録させるとある。
【０００７】
しかしながら、特許文献1に挙げられる問題を回避するために一時停止キー等のユーザー操作によってチャプタを区切る機能が発明されているが、上記文献に記載されている操作においてはチャプタを新しく設置する事のみに焦点を置いており、意図しないチャプタを作成してしまう問題があると想定される。
【０００８】
また、課題としてユーザの視聴中のキー操作により、自動的にチャプタを作成することができる情報記録再生装置を提供するというものがある。この解決手段として、チャプタ設定モードに設定されている場合、例えば、再生中に時点ｔ１で一時停止されると、一時停止箇所にチャプタｃ１が設定される。時点ｔ２でＣＭが現れ、ＣＭスキップ操作されると、スキップ開始箇所にチャプタｃ２が設定される。そして、時点ｔ３でＣＭスキップが終了すると、スキップ終了箇所にチャプタｃ３が設定される。時点ｔ４で再生中に早送り操作されると、早送り開始箇所にチャプタｃ４が設定される。時点ｔ５で早戻し操作がされて早戻しされ、早戻しで通過したチャプタｃ５が消去される。早戻しを停止される操作がされたとき、早戻し終了箇所にチャプタｃ６が設定されるとある。
【０００９】
しかしながら、特許文献２と同様に明示的なユーザー操作を必要としないチャプタ作成を行う方法が公開されており、特許文献２と比較して意図しないチャプタを作成しないよう工夫されているが、こちらも永続的なチャプタを作成することが目的であり、作成されたチャプタを削除するのはユーザーの明示的な操作を要する。
【００１０】
即ちチャプタの作成・削除においてより高い利便性への要望があるが、かかる要望を実現するための手段は知られていない。
【先行技術文献】
【特許文献】
【００１１】
【特許文献１】特開２０１１−２１１４８１
【特許文献２】特開２００８−０８５５４２
【特許文献３】特開２００８−９８９６０
【発明の概要】
【発明が解決しようとする課題】
【００１２】
本発明の実施の形態は、チャプタの作成・削除においてより高い利便性をもたらすことができる技術を提供することを目的とする。
【課題を解決するための手段】
【００１３】
上記課題を解決するために、実施形態によれば映像再生装置は、外部からの特殊再生の指示に基づいてこの特殊再生を行う特殊再生手段と、前記指示の時点に一時的なチャプタを区切る仮チャプタ生成手段とを備え、外部からの指示に基づいて前記一時的なチャプタに戻る。
【図面の簡単な説明】
【００１４】
【図１】この発明の一実施形態を示すシステムのブロック図。
【図２】同実施形態の一部の詳細を示すブロック構成図チャプタジャンプのフローチャート。
【図３】同実施形態の一時的なチャプタの提示方法イメージを説明するために示す図。
【図４】同実施形態の一時チャプタ作成の実施例フロー図。
【図５】同実施形態に用いられる通常チャプタへの変換フロー図。
【図６】同実施形態が適用される映像再生装置の一例を示す概略図。
【図７】リモコンの実施形態を示した概観図。
【発明を実施するための形態】
【００１５】
以下、実施形態を図１乃至図７を参照して説明する。
【００１６】
先に図６は、本発明の実施の形態が適用可能な映像音声再生装置の一例を示す。なお、以下に説明する映像音声再生装置は、例えば映像表示装置（モニター装置）が一体に設けられているテレビジョン受信装置（以下テレビ受信装置と呼称する）であってもよいし、入力される映像（動画）と音声（オーディオデータ）を記録可能で、その再生時に映像および音声を出力可能な映像音声記録再生装置（レコーダー装置）であってもよい。
【００１７】
さて図６は、この発明の実施の形態が適用される映像音声再生装置（テレビ受信装置）の一例を概略的に説明するブロック図である。
【００１８】
テレビ受信装置１１は、例えば液晶表示パネル等に代表される表示装置であって、映像信号（ビデオデータ）に対応する映像を表示する映像表示器１３、例えばスピーカー等に代表される音声再生装置であって、音声出力（オーディオデータ）を再生する音声再生器１５、ユーザーからの制御指示（制御入力）信号を受け入れる操作部１７、ユーザーからのリモートコントローラ（以下、リモコン１４と称する）による操作情報（制御入力）信号を受けつけるリモコン受信部１９、および制御ブロック（制御部）６０等を含む。
【００１９】
映像表示器１３は、例えば液晶パネルと、液晶パネルの背面から液晶パネルを照明するバックライト２５を含み、バックライト２５による照明光が液晶パネルを透過して映像を再生（表示）する。なお、バックライト２５は、冷陰極管等に代表される蛍光管すなわち放電灯であり、点灯回路２７から供給する電圧とパルス数（駆動周波数）を制御することにより、所定の色度、かつ任意の明るさの照明光を出力する。しかしながら、低温下において、 点灯時間（駆動時間）に対する輝度変動が顕著であり、明るさ（色味）が安定するまでに、数十分を要することが知られている。
【００２０】
上述したテレビ受信装置１１は、上記各ユニットの動作や表示もしくはオーディオ（音声）出力を、制御部（制御ブロック，メインボードと呼ばれることもある）６０により、統括的に制御されている。
【００２１】
制御部６０は、ＣＰＵ（Central Processing Unit）６１に代表される主制御用ＩＣ（ＬＳＩ）を内蔵し、操作部１７からの操作情報（入力）、またはリモコンから送出された操作情報を受信部１９により受信した（リモコン入力）制御信号に対応する操作内容が反映されるように、各部をそれぞれ制御している。
【００２２】
制御部６０はまた、例えばＣＰＵ６１が実行する制御プログラムを保持したＲＯＭ（Read Only Memory）６２、ＣＰＵ６１に作業エリアを提供するＲＡＭ（Random Access Memory）６３、および各種の設定情報や、制御情報等が格納され、保持される不揮発性メモリー（Non Volatility Memory，ＮＶＭ）６４を、含む。
【００２３】
バックライト２５の明るさは、例えば制御部６０と一体的に、あるいは独立して設けられるランプ制御部６５により点灯回路２７からバックライト２５に印加すべき電圧および駆動パルス数を変化することで、任意に設定される。なお、点灯回路２７は、例えばＤＣ−ＡＣインバータである。
【００２４】
制御部６０はまた、カードホルダ７２と接続されたカードインターフェース（interface，Ｉ／Ｆ）７１を介して、カードホルダ７２に装着されるメモリーカードから映像および音声ファイルを読み込むことができ、また、メモリーカードに映像および音声ファイルを書き込むことができる。
【００２５】
制御部６０にはさらに、通信インターフェース（Ｉ／Ｆ）７３、第１および第２のＨＤＭＩインターフェース（Ｉ／Ｆ）７４，７５、ＵＳＢインターフェース（Ｉ／Ｆ）７６、およびｉ．Ｌｉｎｋインターフェース（Ｉ／Ｆ）７７等の任意数のインターフェース群が接続され、それぞれのインターフェースに適合する外部装置あるいはハブ（拡張装置）もしくはネットワーク制御装置として機能する。例えば、通信インターフェース７３には、ＬＡＮ端子８１が接続され、例えばＬＡＮ（ネットワーク）対応の図示しない外部（ＮＡＳ（Network Attached Storage）ＨＤＤ（Hard Disk Drive））が接続される。なお、ＬＡＮ端子８１は、イーサネット（登録商標）＜（Ethernet（登録商標）＞を用いた一般的なＬＡＮ対応ポートとして使用することも可能で、例えばハブ（Hub）が接続されることで、ＬＡＮ対応のＨＤＤ、ＰＣ（personal computer）、ＨＤＤ内臓のＤＶＤレコーダー等の機器の接続が可能である。
【００２６】
第１および第２のＨＤＭＩインターフェース７４，７５には、それぞれＨＤＭＩ端子８２，８３が接続され、例えば図示しないＤＶＤレコーダーやＡＶアンプ、あるいはハブが接続される。なお、ＡＶアンプには、例えばＤＶＤレコーダーやＤＶＤプレーヤー等が接続される。また、ハブには、例えばＨＤＭＩ端子を備えたＡＶアンプや、ＰＣ（personal computer）、ＨＤＤ内臓のＤＶＤレコーダー、ＤＶＤプレーヤー等の外部機器が接続可能である。
【００２７】
ＨＤＭＩ端子８２，８３がハブと接続される場合には、例えばブロードバンドルータを介して、例えばインターネット等のネットワークとの接続や、ネットワーク上に位置するＰＣ（personal computer）や携帯電話、もしくは携帯端末との間の動画ファイル（映像データ）やオーディオファイル（音声データ）の読み込みおよび再生ならびに書き込み（記録）等も可能である。
【００２８】
ＵＳＢインターフェース（Ｉ／Ｆ）７６は、ＵＳＢポート８４と接続され、ポート８４に接続される図示しないハブを介して、携帯電話、デジタルカメラ、メモリーカードに対するカードリーダ／ライタ、ＵＳＢインターフェースを介してアクセス可能に形成されたＨＤＤ、キーボード等が接続可能であり、それぞれのＵＳＢ機器との間で情報の受け渡しが可能である。
【００２９】
ｉ．Ｌｉｎｋインターフェース（Ｉ／Ｆ）７７は、図示しないが、例えばＡＶ（オーディオ−ビジュアル）−ＨＤＤあるいはＤ（Digital）−ＶＨＳ（video home system）等の外部機器、もしくは外部地上波デジタルチューナ等がシリアル接続可能であり、接続される任意の機器との間で情報の受け渡しが可能である。
【００３０】
なお、詳述しないが、個々のインターフェースに加えて、もしくは任意の１または複数のインターフェースに代えて、例えばＤＬＮＡ（Digital Living Network Alliance（登録商標））規格等に準拠したネットワークコントローラや、図示しないBluetooth（登録商標）＜（ブルートゥース（登録商標）＞が用意され、それらを経由して、データの受け渡しが可能なレコーダー装置やＨＤＤ装置、もしくは携帯可能な端末装置が接続されてもよいことはいうまでもない。
【００３１】
制御部６０はまた、タイマーコントローラ（時計部）９０を含む。時計部９０は、時刻や、ユーザーからの入力により設定される予約録画のための予約時刻（日時）と録画対象チャンネル等の情報を管理するとともに、その情報を保持可能である。なお、時計部９０は、後段に説明するデジタルチューナ５０を介して受信するデジタル放送におけるＴＯＴ（Time Offset Table）と呼ばれる「時刻情報」を、常時取得できる。すなわち、電波時計を内蔵している機器と同等の時刻管理が可能である。また、後段に説明するチューナ５２により受信するアナログアナログ放送の所定のチャンネルからも、毎日、所定の時間に時報を取得可能であることはいうまでもない。
【００３２】
以下、テレビ受信装置１１の主要な信号処理系について説明する。
【００３３】
ＢＳ／ＣＳデジタル放送受信用のアンテナ４２で受信した衛星デジタルテレビジョン放送信号は、入力端子４３を介して衛星デジタル放送用のチューナ４４に供給される。
【００３４】
チューナ４４は、制御部６０からの制御信号により所望のチャンネルの放送信号を選局し、この選局された放送信号をＰＳＫ（Phase Shift Keying）復調器４５に出力する。
【００３５】
ＰＳＫ復調器４５は、制御部６０からの制御信号に基づき、チューナ４４で選局された放送信号を復調して、所望の番組を含んだトランスポートストリーム（Transport Stream，ＴＳ）を得て、ＴＳ復号器４６に出力する。
【００３６】
ＴＳ復号器４６は、制御部６０からの制御信号により、トランスポートストリーム多重化された信号のＴＳ復号処理を行い、所望の番組のデジタルの映像信号及び音声信号を信号処理部４７に出力する。また、ＴＳ復号器４６は、デジタル放送により送られている番組（コンテンツ）を取得するための各種データ（サービス情報）、電子番組ガイド（ＥＰＧ）情報、番組属性情報（番組ジャンル等）および字幕情報等を制御部６０へ出力する。
【００３７】
また、地上波放送受信用のアンテナ４８で受信した地上デジタルテレビジョン放送信号は、入力端子４９を介して地上デジタル放送用のチューナ５０に供給される。
【００３８】
チューナ５０は、制御部６０からの制御信号により所望のチャンネルの放送信号を選局し、この選局された放送信号をＯＦＤＭ（Orthogonal Frequency Division Multiplexing）復調器５１に出力する。
【００３９】
ＯＦＤＭ復調器５１は、制御部６０からの制御信号により、チューナ５０で選局された放送信号を復調して、所望の番組を含んだトランスポートストリームを得て、ＴＳ復号器５６に出力する。
【００４０】
ＴＳ復号器５６は、制御部６０の制御の下で、トランスポートストリーム（ＴＳ）多重化された信号のＴＳ復号処理を行い、所望の番組のデジタルの映像信号および音声信号を信号処理部４７に出力する。なお、信号処理部４７では、デジタル放送波により送られてくる番組を取得するための各種データや電子番組ガイド（ＥＰＧ）情報や、番組属性情報（番組ジャンル等）等を取得して、制御部６０へ出力する。
【００４１】
地上波放送受信用のアンテナ４８で受信した地上アナログテレビジョン放送信号は、入力端子４９を介して地上アナログ放送用のチューナ５２に供給されることにより、所望のチャンネルの放送信号が選局される。チューナ５２で選局された放送信号は、アナログ復調器５３により、アナログコンテンツすなわちアナログの映像信号および音声信号に復調された後、信号処理部４７に出力される。
【００４２】
信号処理部４７は、ＰＳＫ復調器４５及びＯＦＤＭ復調器５１からそれぞれ供給されたデジタルの映像信号および音声信号に対して、選択的に所定のデジタル信号処理を施し、グラフィック処理部５４及び音声処理部５５に出力している。
【００４３】
信号処理部４７にはまた、複数（図示の場合は４つ）の入力端子４０ａ，４０ｂ，４０ｃ，４０ｄが接続されている。これら入力端子４０ａ〜４０ｄは、それぞれ、アナログの映像信号及び音声信号を、放送受信装置１１の外部から入力可能とするものである。
【００４４】
信号処理部４７は、アナログ復調器５３及び各入力端子４０ａ〜４０ｄから、それぞれ供給されたアナログの映像信号及び音声信号を選択的にデジタル化し、このデジタル化された映像信号及び音声信号に対して所定のデジタル信号処理を施した後、グラフィック処理部５４及び音声処理部５５に出力する。
【００４５】
グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００４６】
なお、ＯＳＤ信号生成部５７により出力される出力ＯＳＤ信号は、αブレンディングのパラメーターが設定されることで、通常の映像表示上に、「半透明」状態で（通常の映像信号の一部を透過可能に）重ね合わせて出力させることもできる。
【００４７】
グラフィック処理部５４はまた、放送信号が字幕信号を伴い、字幕が表示可能である場合は、制御部６０からの制御信号および字幕情報に基づき、映像信号上に字幕情報を重畳する処理を行う。
【００４８】
グラフィック処理部５４から出力されたデジタルの映像信号は、映像処理部５８に供給される。映像処理部５８は、映像表示器１３すなわちディスプレイ装置（モニタ装置）により映像（動画／静止画）出力として再生可能に、グラフィック処理部５４から供給されるデジタルの映像信号をアナログの映像信号に変換する。なお、映像処理部５８と接続された出力端２１には、例えば外部装置として、拡大投影装置（プロジェクタ装置）や外部モニタ装置が接続されてもよいことはいうまでもない。出力端２１にはまた、例えばＤＶＤ規格の光ディスクを記録媒体とするＤＶＤレコーダー装置や、従来からのビデオテープを記録媒体とするビデオレコーダー装置が接続されてもよい。
【００４９】
音声処理部５５は、音声再生器１５すなわちスピーカー等であり、信号処理部４７から供給されるデジタルの音声信号をアナログの音声信号に変換する。なお、詳述しないが、音声信号（オーディオ出力）は、出力端２３と接続される外部スピーカーや、オーディオアンプ（ミキサーアンプ）や、出力端２３の１つの形態として用意されるヘッドホン出力端に、音声／オーディオ出力として再生可能に出力されてもよいことはいうまでもない。
【００５０】
図７は、リモコン１４の実施形態を示した概観図である。リモコン１４は赤外線あるいはBluetooth（登録商標）等による無線通信を利用して、テレビ受信装置１１の受信部１９へ操作信号を送る。電源ボタン１５０は、テレビ受信装置１１の電源をオンまたはオフする。詳細にはテレビ受信装置１１を待機状態から動作状態、または動作状態から待機状態にするボタンである。
【００５１】
選局ボタン１５１は、放送のチャンネル番号を直接選択する１から１２までの番号が振られたボタンである。また選局ボタン１５１はテレビ電話を使用するときにはダイヤルボタンの機能を果たす。チャネル送りボタン１５２は、チャネル番号を順送りまたは逆送りで選局するボタンであり、選局ボタン１５１と同様にチャネルを選局するときに用いられる。音量調整ボタン１５３は、放送番組の視聴やテレビ電話の音量を調整するボタンである。
【００５２】
カーソルボタン１５４は映像表示器１３の画面に表示されたＧＵＩ画面の各種の情報ウィンドウ内のカーソルの移動や各種項目の選択ボタンの移動を行うためのボタンである。左方向カーソルボタン１５４ａはカーソルを左方向に移動させるときに用いるボタンである。右方向カーソルボタン１５４ｂ、上方向カーソルボタン１５４ｃ、下方向カーソルボタン１５４ｄはそれぞれカーソルを右方向、上方向、下方向に移動させるときに用いる。決定ボタン１５５は、カーソルボタン１５４ａ〜１５４ｄで移動した先の位置または画面上のボタンを実行するときに用いられる。
【００５３】
番組表ボタン１５６は、番組表を画面に表示するときに操作する専用の操作ボタンである。メニューボタン１５７は、テレビ受信装置１１に用意された各種の設定項目を表示するときに押下するボタンである。利用者は、階層表示された複数の項目の中から目的の設定項目を選択する。
【００５４】
戻るボタン１５８は一つ前の操作段階の画面へ戻るときに使うボタンである。終了ボタン１５９は、一連の操作を終了するときに操作するボタンである。
【００５５】
４色の色ボタン１６０は、左から青ボタン１６０ａ、赤ボタン１６０ｂ、緑ボタン１６０ｃ、黄ボタン１６０ｄの順に配置されている。画面上に色により区別された項目や色による選択の表示があるときに使用する。記録装置操作ボタン１６１は、例えばＵＳＢ  Ｉ／Ｆ８４に接続された記録装置に記録された番組を再生する際に、再生、停止、一時停止、早送り再生、早戻し再生、次チャプタスキップ（ジャンプ）、先頭戻り・前チャプタスキップするためのボタンである。
【００５６】
通話ボタン１６２は、テレビ電話を掛けたり、受けたりするときの電話回線を接続するオフフック用のボタンである。終話ボタン１６３は通話を終了するときの電話回線を切断するオンフック用のボタンである。
【００５７】
テレビ電話ボタン１６４は、リモコン１４をテレビ電話用のリモコンに切り替えるときに操作するボタンである。マイクボタン１６５はマイクロホン１６６を使用するときに押下するボタンである。マイクロホン１６６はワイヤレスのマイクロホンであり、リモコン１４から送信された音声信号は、受信部１９内の無線制御部で受信されてエンコードされる。
【００５８】
さて図１は、テレビ受信装置１１上で動作する機能システムのブロック図である。実施例としてPVR（Private Video Recording）録画再生機能を有する液晶デジタルテレビジョン受信装置を挙げる。
【００５９】
この装置はユーザー入力インターフェース１、SoC(System on Chip)Ｓ/メインメモリ２、外部ストレージ(HDDディスクなど)３、及びバックエンドにあたる液晶パネル４やスピーカー５からなる。外部ストレージ３には録画コンテンツ及び永続的なチャプタ情報が記録され、SoCＳ内のコントロールブロックＳＣにある録画再生モジュールＳＣ１，ＳＣ２によってデータの読み書きやストリーミング再生を制御する。メインメモリで２は本実施形態において説明される一時的なチャプタ情報の記録/削除が行われる。
【００６０】
ここで、入力インターフェース１は受信部１９に、SoCＳはＣＰＵ６１に、メインメモリ２はＲＡＭ６３に相当している。また、外部ストレージ３は、ＵＳＢ  Ｉ／Ｆ８４などに接続されるデバイスに相当する。液晶パネル４やスピーカー５は、それぞれ映像表示器１３等や音声再生器１５に相当している。
【００６１】
次に図２は、SoCＳを主体とするチャプタジャンプのフローチャートである。これは、チャプタジャンプ時、自動的に現在地点に一時的なチャプタを区切る処理である。表記法は、UML（Unified Modeling Language）表記法を用いている。UMLは、オブジェクト指向のソフトウェア開発における、プログラム設計図の統一表記法とされている。オブジェクト指向設計の表記法として、OMG（Object Management Group）によってUMLが標準として認定された。
【００６２】
以下のフローの説明でもこのUMLを用いる。
【００６３】
ステップＳ２１：  既に現在位置にチャプタ区切りがあると判定されると、ステップＳ２３に進む。
【００６４】
ステップＳ２２：  現在地点に一時チャプタを設置する。
【００６５】
ステップＳ２３：  次のステップＳ２４に進む。
【００６６】
ステップＳ２４：  チャプタジャンプする。
【００６７】
ステップＳ２５：  古い一時チャプタがないと判定されると、ステップＳ２７に進む。
【００６８】
ステップＳ２６：  一番古い一時チャプタを削除する。
【００６９】
ステップＳ２７：  処理を終了する。
【００７０】
チャプタの記憶数については、記憶数を1個にしていると順方向のチャプタジャンプ後一定時間の再生を行ってしまった場合に、逆方向ジャンプでは元のチャプタに戻れず(ジャンプ先のチャプタに戻ってしまう)、また、逆方向ジャンプ時の一時チャプタ作成によって戻りたい一時チャプタが削除される事が想定される。よって、一時的なチャプタを2個以上記憶できるようにしておくと便利である。
【００７１】
ただし、記憶数が1個だとしても、多くの場合に対応可能で復帰することが可能であり、そのほかにも別途一時的なチャプタに戻る機能を提供してあれば上記の問題も解決可能である。
【００７２】
記憶数をいくつに設定するかは利用するシステムのデザインに応じて決定する、もしくはユーザーに選択させることができる。
【００７３】
図３は、図２に関連する（図３（ａ）から図３（ｂ）に推移する）一時的なチャプタの提示方法イメージを説明するために示す図である。ユーザーに提示するＯＳＤの実施例である。通常の永続的なチャプタ点と一時的なチャプタ点ＴＣを色分け等で判別可能なように提示する。
【００７４】
加えてＯＳＤ非表示の状態からジャンプした際にジャンプ元となるポイントが分かるような表示（例えば、図３（ｂ）の矢印Ｇ）があると好適である。
【００７５】
図４は、チャプタジャンプ時、自動的に現在地点に一時的なチャプタを区切る（作成する）処理フローである。図２で記載したSoCＳを主体とする処理内容の実施例である。
【００７６】
ステップＳ４１：  現在位置をメインメモリ２に記憶する。
【００７７】
ステップＳ４２：  既に現在位置にチャプタ区切りがあると判定されると、ステップＳ４４に進む。
【００７８】
ステップＳ４３：  現在地点をメインメモリ２上に一時的なチャプタとして記憶する。
【００７９】
ステップＳ４４：  次のステップＳ４５に進む。
【００８０】
ステップＳ４５：  チャプタジャンプする。
【００８１】
ステップＳ４６：  古い一時チャプタがないと判定されると、ステップＳ４８に進む。
【００８２】
ステップＳ４７：  一番古い一時チャプタをメインメモリ２上から削除する。
【００８３】
ステップＳ４８：  次のステップＳ４９に進む。
【００８４】
ステップＳ４９：  表示更新をする（例えば図２（ａ）から図２（ｂ）の表示への推移）。
【００８５】
ステップＳ５０：  チャプタ対象のコンテンツの再生を開始し、一連の処理を終了する。
【００８６】
図５は、SoCＳを主体とする通常チャプタへの変換フローである。即ち、早送りや一時停止等で作成された一時的なチャプタ情報を、一括で通常の永続的なチャプタへ変換するループ処理である。ユーザは、リモコン１４を用いて液晶パネル４上に映されるＯＳＤのメニューなどにより対話的にこの変換の指示を出来るよう、前記システムを構成することができる。
【００８７】
ステップＳ５１：  一時チャプタがないと判定されると、ステップＳ５５に進む。
【００８８】
ステップＳ５２：  メインメモリ２上の一時チャプタ情報を、外部ストレージ３上のチャプタ情報にコピーして書き込みを行う。
【００８９】
ステップＳ５３：  メインメモリ２上の一時チャプタ情報をクリアする。
【００９０】
ステップＳ５４：  表示更新をする（例えば図２の一時チャプタＴＣを通常のチャプタの表示へ変える）。
【００９１】
ステップＳ５５：  処理を終了する。
【００９２】
なお、以上の実施例ではデジタルテレビジョン受像装置を用いたが、PVR装置やSTB（Set Top Box）等への応用が可能である。
【００９３】
実施形態の効果として、従来ユーザーが番組宣伝などオートチャプタによるCM検出がうまく働かなかった地点に気がつかず、CMを飛ばす目的でジャンプ操作を行うと誤って本編毎ジャンプしてしまう事が多かったが、この場合の復帰が容易になり、ユーザーへのストレスが大幅に軽減できる。次の利点もある。
【００９４】
（Ａ）チャプタを区切る操作を明示的に行う必要がなくなる。
【００９５】
（Ｂ）実装が容易である。
【００９６】
本実施形態は、録画再生機能のチャプタ分割機能に関するものである。本実施形態により、特にＯＳＤ非表示時の状態からCMのオートチャプタ分割を期待して不用意にチャプタジャンプしてしまった場合の復帰を容易にし、チャプタジャンプ時にユーザーにかかるストレスが大幅に軽減されることが期待される。
【００９７】
（実施形態の補足）
（１）録画再生等でチャプタジャンプ時に自動的に現在地点に一時的なチャプタを区切る (図２参照) 。
【００９８】
（２）チャプタジャンプ以外でも早送り、スキップ操作、一時停止等の総称して特殊再生でも一時的なチャプタを区切る。
【００９９】
（３）一時的なチャプタポイントは古いものから自動削除される。(記憶数は1個から。2個以上が望ましい。)
（４）直前のジャンプ操作とは逆方向のジャンプによって、直前の操作を取り消す機能を実現する。
【０１００】
（５）ジャンプ開始点を提示する機能 (オプション、図３参照) を実現する。
【０１０１】
（６）一時的なチャプタを、従来の永続的なチャプタに確定する機能(オプション、図５を参照) を実現する。
【０１０２】
（７）前回再生時の一時的なチャプタを保存し、次回再生開始時にも一時的なチャプタとして反映する機能（オプション）を実現してもよい。
【０１０３】
以上説明した実施例によれば、ユーザーの操作毎に一時的なチャプタ区切りを設けることとした。これにより、例えばチャプタスキップ操作によって移動した後に、逆方向のスキップ操作を行う事によって擬似的に操作の取り消しを行う事ができる。
【０１０４】
加えて、一時的なチャプタは直前のジャンプ位置を記憶するのに便利な方法であるが、一時的なチャプタを複数記憶し一括で永続的なチャプタに変換する手段を用意することによって、チャプタ登録操作の利便性向上も可能となる。
【０１０５】
なお、この発明は上記実施形態に限定されるものではなく、この外その要旨を逸脱しない範囲で種々変形して実施することができる。
【０１０６】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【０１０７】
１１…テレビ受信装置（映像再生装置）、１３…映像表示器、１４…リモコン、１５…音声再生器、２１…出力端、２５…バックライト、２７…点灯回路、４７…信号処理部、５５…音声処理部、５８…映像処理部、６０…制御部、６１…ＣＰＵ、６４…不揮発性メモリー、６５…ランプ制御部、９０…時計部（タイマーコントローラ）。
【図１】
2013243620.tif 000003
【図２】
2013243620.tif 000004
【図３】
2013243620.tif 000005
【図４】
2013243620.tif 000006
【図５】
2013243620.tif 000007
【図６】
2013243620.tif 000008
【図７】
2013243620.tif 000009